【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
コーティング材料を塗布する方法であって、
識別可能な特徴のパターンを有するプロテーゼを提供することと、
前記識別可能な特徴を特定し、前記特定された特徴のコーティング座標を獲得するために、前記コーティング材料の塗布前に、前記プロテーゼの実質的に表面領域全体をプレスキャンすることと、
前記プロテーゼに対してコーティング材料塗布器を相対的に移動させることにより、前記コーティング座標の実質的に各々において、前記プロテーゼの表面に前記コーティング材料を塗布することを含み、前記プロテーゼに対する前記コーティング材料塗布器の相対移動は、識別可能な特徴のパターンのどの部分にも実質的に沿っていないことを特徴とする方法。
【請求項２】
前記所定の経路が、
前記プロテーゼを中心とした実質的に螺旋状の経路と、
前記プロテーゼの長手方向の軸に実質的に平行に配向された実質的に線形の経路のうちの１つであることを特徴とする請求項１に記載の方法。
【請求項３】
（ｄ）前記コーティング座標のシーケンスを決定することをさらに含むことを特徴とする請求項１または２に記載の方法。
【請求項４】
前記プロテーゼの表面領域にわたって、前記所定の経路に沿ってコーティング材料塗布器を移動させることと、
前記コーティング座標の１つである前記所定の経路上の点で、前記プロテーゼに前記コーティング材料を塗布することとをさらに含むことを特徴とする請求項１から３のいずれか一項に記載の方法。
【請求項５】
（ｄ）前記コーティング材料の塗布後、前記プロテーゼをポストスキャンすることをさらに含むことを特徴とする請求項１から４のいずれか一項に記載の方法。
【請求項６】
前記ポストスキャンすることが、前記プロテーゼを回転させることと、前記コーティングされたプロテーゼを検出することとを含むことを特徴とする請求項５に記載の方法。
【請求項７】
前記プレスキャンすることが、前記プロテーゼを回転することと、前記プロテーゼを検出することとを含ことを特徴とする請求項１から６のいずれか一項に記載の方法。
【請求項８】
前記検出することが、前記プロテーゼの前記識別可能な特徴からのエネルギーを検出することを含むことを特徴とする請求項７に記載の方法。
【請求項９】
前記プレスキャンすることが、前記プロテーゼに関連するエッジを特定するために、イメージを解析することをさらに含むことを特徴とする請求項８に記載の方法。
【請求項１０】
前記プレスキャンすることが、前記識別可能なエッジから前記コーティング座標を決定することをさらに含むことを特徴とする請求項９に記載の方法。
【請求項１１】
前記検出することが、第１のタイプの表面と第２のタイプの表面とを光学的に区別することを含むことを特徴とする請求項７に記載の方法。
【請求項１２】
前記検出することが、イメージから３次元形状を表現することをさらに含むことを特徴とする請求項１１に記載の方法。
【請求項１３】
前記検出することが、前記プロテーゼに塗布された前記コーティング材料の中の顔料を特定することを含むことを特徴とする請求項７に記載の方法。
【請求項１４】
前記プロテーゼの表面領域にわたって、前記所定の経路に沿ってコーティング材料塗布器を移動させることと、
前記コーティング座標の１つに対応する前記所定の経路上の実質的に各々の点で、前記プロテーゼの表面に前記コーティング材料を塗布することとをさらに含むことを特徴とする請求項１に記載の方法。
【請求項１５】
前記所定の経路が、前記プロテーゼの長手方向の軸に実質的に平行に配向された実質的に線形の経路であり、前記方法が、
前記プロテーゼの第１の端部から前記プロテーゼの第２の端部まで、前記プロテーゼの表面領域にわたって、所定の経路に沿ってコーティング材料塗布器を前後に移動させることと、
コーティング座標に対応する所定の経路上の実質的に各々の点で、前記プロテーゼの表面に前記コーティング材料を塗布することとをさらに含むことを特徴とする請求項１に記載の方法。
【請求項１６】
トポロジーパターンを有するプロテーゼにコーティング材料を塗布する方法であって、
前記コーティング材料が前記プロテーゼに塗布される複数のコーティング位置を特定するために、前記コーティング材料の塗布前に、前記トポロジーパターンを走査することと、
前記特定された複数のコーティング位置に対応して、複数のコーティング座標を計算することと、
前記プロテーゼに対してのコーティング材料塗布器の動作経路を規定するためにコーティング材料塗布器とプロテーゼを相互に対して相対的に移動させ、前記コーティング材料塗布器に、前記コーティング座標の１つに対応する実質的に前記動作経路上の各々の点で、前記プロテーゼへ前記コーティング材料を塗布するようにさせることとを含み、
前記動作経路は、前記トポロジーパターンに実質的に沿っていないことを特徴とする方法。
【請求項１７】
前記動作経路が、前記トポロジーパターンの任意の部分に実質的に沿っていないことを特徴とする請求項１６に記載の方法。
【請求項１８】
前記動作経路が、前記プロテーゼの長手方向の軸に実質的に平行に配向された実質的に線形の経路であることを特徴とする請求項１６または１７に記載の方法。
【請求項１９】
前記動作経路が、
前記プロテーゼの長手方向の軸に実質的に平行に配向された経路に沿って前記コーティング材料塗布器を移動させることと、
前記コーティング材料塗布器を前記線形の経路に沿って移動させながら、前記プロテーゼをその長手方向の軸を中心として回転させることによって規定され、
前記動作経路が、前記プロテーゼを中心とした螺旋状の経路を含むことを特徴とする請求項１６に記載の方法。
【請求項２０】
前記コーティング材料塗布器下で、前記プロテーゼをその長手方向の軸を中心として第１の角度位置まで回転させることと、
前記プロテーゼが前記第１の角度位置で静止している間、前記プロテーゼの長手方向の軸に実質的に平行に配向された実質的に線形の経路に沿って、前記コーティング材料塗布器を移動させることとをさらに含み、
前記動作経路が、前記プロテーゼを中心としたラスタ運動を描くことを特徴とする請求項１６に記載の方法。
【請求項２１】
走査することが、
トポロジーパターンのイメージを生成することと、
前記生成したイメージを処理することとを含むことを特徴とする請求項１６から２０のいずれか一項に記載の方法。
【請求項２２】
計算することが、
各コーティング座標について回転コンポーネントの角度と線形位置の場所を決定することを含むことを特徴とする請求項２１に記載の方法。
【請求項２３】
前記移動経路が、
前記プロテーゼの長手方向の長さに沿って、前記コーティング材料塗布器を第１の点へ移動させることと、
前記コーティング材料塗布器が、前記第１の点で静止している間、前記プロテーゼをその長手方向の軸を中心として回転させることとによって規定され、
前記動作経路が、前記プロテーゼを中心としたリングを描くことを特徴とする請求項１６に記載の方法。
【請求項２４】
前記プロテーゼの長手方向の長さに沿って、前記コーティング材料塗布器を第２の点へ移動させることと、
前記コーティング材料塗布器が前記第２の点で静止している間、前記プロテーゼをその長手方向の軸を中心として回転させることとをさらに含み、
前記動作経路が、前記プロテーゼを中心とした複数の線形オフセットリングを描くことを特徴とする請求項２３に記載の方法。
【請求項２５】
トポロジーパターンを有するプロテーゼにコーティング材料を塗布するためのシステムであって、
コーティング材料塗布器と、前記コーティング材料の塗布前に前記トポロジーパターンを走査し、前記コーティング材料が前記プロテーゼに塗布される複数のコーティング位置を特定するための手段と、
前記特定された複数のコーティング位置の関数として、複数のコーティング座標を計算するための手段と、
前記プロテーゼに対して動作経路に沿ってコーティング材料塗布器を移動させ、前記コーティング材料塗布器に、前記コーティング座標の１つに対応する実質的に前記動作経路上の各々の点で、前記プロテーゼへ前記コーティング材料を塗布するようにさせるための手段とを含み、
前記動作経路が、トポロジーパターンの関数ではないことを特徴とするシステム。
【請求項２６】
前記動作経路が、前記トポロジーパターンのいずれの部分にも実質的に沿っていないことを特徴とする請求項２５に記載のシステム。
【請求項２７】
前記動作経路が、前記プロテーゼの長手方向の軸に実質的に平行に配向された実質的に線形の経路であることを特徴とする請求項２５または２６に記載のシステム。
【請求項２８】
前記プロテーゼの長手方向の軸に実質的に平行に配向された経路に沿って前記コーティング材料塗布器を移動させるための手段と、
前記コーティング材料塗布器を移動させながら、前記プロテーゼをその長手方向の軸を中心として回転させるための手段とをさらに含み、
前記動作経路が、前記プロテーゼを中心とした螺旋状の経路を描くことを特徴とする請求項２５に記載のシステム。
【請求項２９】
前記コーティング材料塗布器下で、前記プロテーゼをその長手方向の軸を中心として第１の角度位置まで回転させるための手段と、
前記プロテーゼが前記第１の角度位置で静止している間、前記コーティング材料塗布器を、前記プロテーゼの長手方向の軸に実質的に平行に配向された実質的に線形の経路に沿って移動させるための手段とをさらに含み、
前記動作経路が、前記プロテーゼを中心としてラスタ運動を描くことを特徴とする請求項２５に記載のシステム。
【請求項３０】
前記走査する手段が、
トポロジーパターンのイメージを生成するための手段と、
前記生成したイメージを処理するための手段とを含むことを特徴とする請求項２５から２９のいずれか一項に記載のシステム。
【請求項３１】
前記計算する手段が、
各コーティング座標について回転コンポーネントの角度と線形位置の場所を決定するための手段を含むことを特徴とする請求項２５から３０のいずれか一項に記載のシステム。
【請求項３２】
前記プロテーゼの長手方向の長さに沿って、前記コーティング材料塗布器を第１の点へ移動させるための手段と、
前記コーティング材料塗布器が前記第１の点で静止している間、前記プロテーゼをその長手方向の軸を中心として回転させるための手段とをさらに含み、
前記動作経路が、前記プロテーゼを中心としたリングを描くことを特徴とする請求項２５に記載のシステム。
【請求項３３】
前記プロテーゼの長手方向の長さに沿って、前記コーティング材料塗布器を第２の点へ移動させるための手段と、
前記コーティング材料塗布器が前記第２の点で静止している間、前記プロテーゼをその長手方向の軸を中心として回転させるための手段とをさらに含み、
前記動作経路が、前記プロテーゼを中心とした複数の線形オフセットリングを描くことを特徴とする請求項３２に記載のシステム。